(57)【要約】【課題】  箱形ユニットの構造を簡素化し、部材相互の接続構造を簡便に行えるようにすることで、組み立て作業を専門家の手を必要とせず、素人でも簡単、かつ、能率的に行えるような室内用箱床コーナーユニットを提供する。【解決手段】  箱形ユニット１が、核となる基本箱形ユニット１Ａと、この基本箱形ユニットの構成部材を共有して組立てられる複数個の付随箱形ユニット１Ｂ，１Ｃ，１Ｄ，・・・からなっていて、各箱形ユニット１を構成する下笠木２と、束柱３と、仕切り板４と、上笠木５と、中蓋６とが、接続具２８，２９と凹溝８，１０，１２とによって工具を必要とせずに組み立てられる。【選択図】  図２
2007046402.tif 000002
【特許請求の範囲】
【請求項１】
既存の洋間床面上に、表面に畳、カーペット等の上敷きを敷設した複数個の箱形ユニットが、一体的に組み合わされて配置される室内用箱床コーナーユニットであって、
各箱形ユニットが、左右両端に接続具の一方を有し、長さ方向に沿った表面に凹溝を有する、箱形ユニットの各辺を形成するための下笠木と、上下両端に接続具の他方を有し、長さ方向に沿った表面に凹溝を設けた、下端が前記下笠木の交点に接続される束柱と、前記下笠木と束柱の各凹溝内に落とし込まれて各ユニット内を区画する仕切り板と、両端に接続具の一方を有し、長さ方向に沿った表面に凹溝を設けた、両端が前記束柱の上端に接続される上笠木とが互に組み合わせられ、各ユニットの上笠木上に、表面に上敷きを重ね合わせた中蓋が設けられていることを特徴とする室内用箱床コーナーユニット。
【請求項２】
各箱形ユニットが、核となる基本箱形ユニットと、この基本箱形ユニットの構成部材を共有して組立てられる複数個の付随箱形ユニットからなっている請求項１の室内用箱床コーナーユニット。
【請求項３】
下笠木と上笠木の左右両端に設けられる接続具の一方がアリホゾであり、束柱の上下両端に設けられる接続具の他方がアリミゾである請求項１の室内用箱床コーナー。
【請求項４】
下笠木と上笠木の左右両端に設けられる接続具の一方が、金属製嵌合い継手の雄形突起であり、束柱の上下両端に設けられる接続具の他方が、嵌合い継手の雌形凹部である請求項１の室内用箱床コーナー。
【請求項５】
組み合わされた各箱形ユニットの屋内壁面と接しない面には、上笠木の上縁に前框が設けられるようにして、複数個の箱形ユニットが一体的に組み合わされている請求項１の室内用箱床コーナーユニット。
【請求項６】
屋内壁面と接しない面の箱形ユニットの上笠木上縁に設けられる前框が、上笠木の前縁に載置される断面Ｌ字形であって、前框の内側部と上笠木の前縁とが接続具により係合されている請求項５の室内用箱床コーナーユニット。
【請求項７】
互いに直交する両前框の隅角部が、前框の長さ方向に対して４５度の角度で設けられた傾斜辺を接合することで構成されていて、この傾斜辺を設けた端部内側部と束柱の上端とが接続具により係合されている請求項５の室内用箱床コーナーユニット。
【請求項８】
屋内壁面と接しない面の箱形ユニット内両側に、引出しのガイドローラを設けて、箱形ユニット内に引出しを設けた請求項１の室内用箱床コーナーユニット。
【発明の詳細な説明】
【技術分野】
【０００１】
本発明は、例えばマンションにおける既設洋間フロアのような床面上に、表面に畳もしくはカーペット等の上敷きを敷設した複数個の箱形ユニットを、互いに組み合わせて固定配置できるようにした室内用箱床コーナーユニットの改良に関する。
【背景技術】
【０００２】
従来において、既設洋間フロアのような床面上に、表面に畳等の上敷きを設けた複数個の箱形ユニットを自由に組み合わせて配置し、これらの箱形ユニットの一部を、洋間では設けられない、こたつコーナーや茶の湯コーナーとして使用したり、幾つかの箱形ユニットは、畳等の上敷きを重ね合わせた上蓋を開閉できるようにして、ユニット内を衣類や各種日用品などの物品収納スペースとして利用できるようにした、室内用箱床コーナーユニットの構造が特許文献１〜特許文献４等によりが知られている。
【０００３】
【特許文献１】特開平２−６１２５６号公報
【特許文献２】特開昭６２−６３７５７号公報
【特許文献３】実願平１−３０８１号（実開平２−９６５０１号）のマイク                  ロフィルム
【特許文献４】特開昭１１−２９９５５７号公報
【発明の開示】
【発明が解決しようとする課題】
【０００４】
これらの従来より知られる箱形ユニットは、いずれも、予め複数個の箱形ユニットの部材を製造しておいて、現場でこれらの部材を組み立てて個々の箱形ユニットを構成してから、これらの各箱形ユニットを互いに組み合わせて一体となるように連結するという設計思想に基づいている。
【０００５】
このような理由から、それぞれの箱形ユニットは、組み立てられた段階で、いずれも前後左右の四側面に側壁板が設けられた、完全に独立する一個の箱形構造となっている。そのため、これらの箱形ユニットを、独立した箱として組み立てるための作業に労力と時間を必要とするだけでなく、さらに、箱として構成された箱形ユニットを互いに連結する作業を必要とすることになる。
【０００６】
しかし、互いに組み立てられた箱形ユニットは、平面が畳一畳分か半畳分で、高さが３０〜６０ｃｍ程度の大きさであり、これらの隣接する一方の箱形ユニットの側壁板と、他方の箱形ユニットの側壁板とを、重なり合わせた状態で、ボルトや連結金具を用いて一体的に連結するという作業は、適切な工具と高度の技術力とを必要とし、とても素人では簡単に組み立てることができないという問題点を有していた。
【課題を解決するための手段】
【０００７】
本発明は、従来より知られる、上記のような畳コーナーユニットの問題点を解消して、箱形ユニットの構造を簡素化することと、部材相互の接続構造を簡便に行えるようにすることで、組み立て作業を、専門家の手を必要とせず、素人でも簡単、かつ、能率的に行えるようにした室内用箱床コーナーユニットの提供を目的としたものである。
【０００８】
本発明に係る室内用箱床コーナーユニットは、そのための具体的手段として、
箱床コーナーを構成する各箱形ユニットを、各箱形ユニットが、左右両端に接続具の一方を有し、長さ方向に沿った表面に凹溝を有する、一つの箱形ユニットの各辺を形成するための下笠木と、上下両端に接続具の他方を有し、長さ方向に沿った表面に凹溝を設けた、下端が前記下笠木の交点に接続される束柱と、前記下笠木と束柱の各凹溝内に落とし込まれて各ユニット内を区画する仕切り板と、両端に接続具の一方を有し、長さ方向に沿った表面に凹溝を設けた、両端が前記束柱の上端に接続される上笠木とが互に組み合わせられ、各ユニットの上笠木上に、表面に上敷きを重ね合わせた中蓋が設けられていることを特徴とする。
【０００９】
それぞれの箱形ユニットは、核となる基本箱形ユニットと、この基本箱形ユニットの構成部材を共有して基本箱形ユニットの周囲に組立てられる複数個の付随箱形ユニットから構成されている。
【００１０】
下笠木と上笠木の左右両端に設けられる接続具の一方はアリホゾであり、束柱の上下両端に設けられる接続具の他方はアリミゾであることが好ましい。
【００１１】
また、下笠木と上笠木の左右両端に設けられる接続具の一方が金属製嵌合い継手の雄形突起であり、束柱の上下両端に設けられる接続具の他方が金属製嵌合い継手の雌形凹部であってもよい。
【００１２】
複数個の箱形ユニットが組み合わされて構成される箱床コーナーは、洋間などの床面上に設置される場合、屋内の間取りに応じて、該箱床コーナーの一辺が屋内の壁面と接触する場合と、二辺が屋内の壁面と接触する場合と、または三辺が屋内の壁面と接触する場合などがあるが、このようにして設置される箱床コーナーユニットの各辺のうち、屋内の壁面と接触しない面における各箱形ユニットの上笠木上縁に、前框が設けられるように構成することが好ましい。
【００１３】
この屋内の壁面と接触しない面における箱形ユニットの上笠木上縁に設けられる前框は、上笠木の前縁に載置される断面がＬ字形であって、前框の内側垂直面と上笠木の前縁とが、接続具により簡単に係合できるような構造となっていることが好ましい。
【００１４】
前框の端部が直角に交差する箇所では、互いに直交する両前框の隅角部が、前框の長さ方向に対して４５度の角度で設けられた傾斜辺を接合することで構成されていて、この傾斜辺を設けた端部内側部と束柱の上端とが接続具により係合されるような構造とすることが好ましい。
【００１５】
屋内の壁面と接しない面に位置する箱形ユニット内には、仕切り板の下辺に出し用のガイドローラを設けて、内部に引出しが設けられるように構成することが
好ましい。
【発明の効果】
【００１６】
本発明の室内用箱床コーナーユニットは、各箱形ユニットを、左右両端に接続具の一方を有する、箱形ユニットの上下四辺を形成するための下笠木および上笠木と、上下両端に接続具の他方を有する、下端が下笠木の交点に接続され、上端が上笠木の交点に接続される束柱とにより構成したので、組み立て施工に際しては、まず、４本の下笠木を四辺に配列するとともに、その四隅に束柱を配置して、それぞれ下笠木端部の接続具の一方と、束柱下端の接続具の他方を係合するだけで、工具を用いることなく簡単に四本の束柱を立設することができる。
【００１７】
また、本発明の箱床コーナーユニットは、各箱形ユニットの上下四辺を形成するための下笠木の上面と上笠木の下面および束柱の側面に、それぞれ凹溝を設けて、下笠木と束柱の各凹溝内に仕切り板を落とし込み、次いで、仕切り板および束柱の上方から上笠木を嵌め込むことができるような構造としたので、底板を必要とせずに、下笠木・上笠木・束柱・仕切り板からなる部材の組立てを、工具を用いることなく簡単かつ迅速に行うことができる。
【００１８】
本発明の箱床コーナーユニットは、箱形ユニットの四隅を構成するそれぞれ一本の束柱が、一個の箱形ユニットにおける直交する二辺の下笠木と上笠木を連結するだけでなく、隣接する別の箱形ユニットにおける二辺の下笠木と上笠木も放射状に連結することができるので、基本となる箱形ユニットの周囲に、このユニットの一部の部材を利用して、隣接する付随箱形ユニットの下笠木と上笠木と束柱とを連続して接続することができる。
【００１９】
その結果、基本となる箱形ユニットに隣接している付随箱形ユニットは、基本となる箱形ユニットの部材を共有するように利用できて、箱形ユニットとこれに隣接する箱形ユニットの間は一枚の仕切り板だけ足りることになり、従来のこの種の箱形ユニットのように、隣接して重なり合う両方の箱形ユニット側壁板を一体に連結するという技術と手間のかかる作業を完全に省略することができ、さらに、底板も必要としないので、部材の省略による低コスト化と、工事内容の大幅な改善を期待できる。
【００２０】
また、複数個の箱形ユニットが組み合わされて構成される箱床コーナーが、洋間などの床面上に設置される場合、屋内の壁面と接触しない面における箱形ユニットの上笠木上縁に前框が設けられるが、本発明では、この前框の隅角部が、それぞれの前框の端部に設けた４５度の傾斜辺を接合することで構成されていて、この傾斜辺を設けた端部内側部と束柱の上端とが、アリホゾ・アリミゾや金属製嵌合い継手のような接続具により簡単に係合できる構造としたので、前框も道具を必要とせずに問題なく取付けることができる。
【実施例】
【００２１】
次に、本発明に係る箱床コーナーユニットの構成を、図面に示すように、接続具としてアリホゾとアリミゾを使用した場合の実施例により説明すると、図１は、この箱床コーナーユニットを構成する箱形ユニット１の部品を組み立てる前に見た説明図であり、この箱形ユニット１は、畳半畳分の広さと高さが３０〜６０ｃｍ程の箱体からなっていて、図３，および図４に示すように、核となる基本箱形ユニット１Ａと、この基本箱形ユニット１Ａの一部の構材を共有して、基本箱形ユニット１Ａの周囲に組立てられる複数個の付随箱形ユニット１Ｂ，１Ｃ，１Ｄ・・・から構成されている。
【００２２】
図１および図２に示すように、基本箱形ユニット１Ａは、四つの面の下辺を形成する下笠木２と、これらの下笠木２の交点に接続されてユニットの四隅を形成する束柱３と、ユニットの四つの面を形成してそれぞれのユニット１の内部を区画するする仕切り板４と、束柱３の上端に接続されて四つの面の上辺を形成する上笠木５と、図６に示すような各上笠木５の内側の支持桟１３上に嵌め込まれる中蓋６とから基本的に構成されている。
【００２３】
下笠木２は、図１および図２に示すように、基本箱形ユニット１Ａの四つの辺を形成する長さを有し、左右両端にそれぞれ接続具の一方としてアリホゾ７が突設され、これらのアリホゾ７，７の間を結ぶ上面には長さ方向に沿った凹溝８が設けられていて、箱床コーナーが敷設されるための床面上に四つの辺を形成するように配置される。
【００２４】
束柱３は、箱床コーナーユニットの高さを形成する長さを有し、断面が正方形の各面における上下両端に、それぞれ接続具の他方としてアリミゾ９が設けられていて、それぞれの面のうち、組み立て工程で必要とされる面に、前記上下両端のアリミゾ９，９の間を結ぶ長さ方向に沿った凹溝１０が設けられており、前記下笠木２の両端のアリホゾ７を、それぞれの束柱３の対応する面におけるアリミゾ９に接続することで、それぞれの下笠木２と束柱３とが組み立てられる。
【００２５】
下笠木２と束柱３とが組み立てられた後は、図２のように、それぞれの下笠木２の凹溝８と、この凹溝８に対応する束柱３の凹溝１０とに、それぞれ仕切り板４を上から落とし込んで、箱形ユニット１の四つの壁面を形成し、次いで、それぞれの束柱３と仕切り板４の上に上笠木５を配置する。
【００２６】
この上笠木５は、基本的に前記下笠木２の形状および寸法と同じであり、下笠木２と同じ長さ、左右両端にそれぞれ接続具の一方としてアリホゾ１１、裏面に長さ方向に沿った凹溝１２を有しており、内周面に図６に示したような、中蓋６を支持するための支持桟１３を有している点が相違している。そのため、この上笠木５は、両端のアリホゾ１１を、それぞれ束柱３の上端の対応位置にあるアリミゾ９に係合するように、上方から嵌め込むことにより、裏面の凹溝１２内へ仕切り板４が嵌合して、図３に示すような、基本箱形ユニット１Ａが構成される。
【００２７】
このようにして一個の箱形ユニット１が組み立てられた後、図４および図５に示したように、この箱形ユニット１を核となる基本箱形ユニット１Ａとして、この基本箱形ユニット１Ａの周囲に、基本箱形ユニット１Ａの一部の部材を利用して、複数個の同様な形状の付随箱形ユニット１Ｂ，１Ｃ，１Ｄ，・・・が連続して組み立てられる。
【００２８】
基本箱形ユニット１Ａは、四つの辺を形成するのに必要な数の部品により構成されるのに対して、付随箱形ユニット１Ｂ，１Ｃ，１Ｄ，・・・は、四つの辺を形成するための全ての部品は必要とせず、互いに隣接して形成される他の箱形ユニット１の構成に必要な部品の一部を利用することにより構成される。
【００２９】
図４に示したように、基本箱形ユニット１Ａが構成されたのち、このユニット１Ａの束柱３ａ，３ｂの下端に下笠木２ａ、２ｂを接続し、束柱３ａと下笠木２ａとの間に仕切り板４ａを取り付け、同様に、束柱３ｂと下笠木２ｂとの間に仕切り板４ｂを取り付ければ、付随箱形ユニット１Ｂが構成され、同様にして、基本箱形ユニット１Ａの周囲に複数個の付随箱形ユニット１Ｃ，１Ｄ，１Ｅ，１Ｆを設けることができる。
【００３０】
図４および図５に示すように、基本箱形ユニット１Ａと、その周囲に幾つかの付随箱形ユニット１Ｂ，１Ｃ，１Ｄ，・・・が組み立てられたのちは、それぞれのユニットの上面に、図６に示したような、中蓋６を嵌め込むことで、基本的な箱床コーナーユニットが構成されることになる。しかし、図３および図４に示したように、この形のままでは、上笠木５の両端と束柱３の上端との接続部にアリホゾ１１やアリミゾ９が露呈したままの状態となるので、体裁上問題がある。
【００３１】
そのため、図５および図９に示すように、箱床コーナーユニットが設けられるフロアーの壁面１４ａ，１４ｂと接しない側のＬ字形辺縁上に、図５では鎖線で示し、図７および図９では実線で示すような前框１５を設け、また、壁面１４ａ，１４ｂと接する側のＬ字形辺縁上には、図５では鎖線で示し、図９では実線で示したような、壁見切り材１７を設けて、前框１５と壁見切り材１７の内周縁に、図６に示した、表面に畳表もしくはカーペット等を敷設した、中蓋６よりも一回り大きい寸法の上敷き１８を嵌め込む。
【００３２】
この状態においては、図９の実線および図１０で示したように、それぞれの上敷き１８の表面が、前框１５および壁見切り材１７の表面と同じ高さで、かつ、上敷き１８の外周縁１８ａが、下面の上笠木５の中心線上で互いに接合した状態で載置されることになり、束柱３の上端が露呈することなく、美麗な箱床コーナーユニットを造ることができる。
【００３３】
前框１５を上笠木５の前縁に取付ける手段としては、図７および図８に示すように、予め上笠木５の前面上縁にアリミゾ１９を設けておき、一方、断面Ｌ字形の前框１５の内側垂直面にアリホゾ２０を設けておいて、前框１５を上笠木５の前面上方からアリホゾ２０がアリミゾ１９内に係合するように取付けて、図８のように、工具を用いずに左右の前框１５を上笠木５の前面上縁に設けることができる。
【００３４】
図７および図８に示すように、右側の前框１５と左側の前框１５とが交わる隅角部では、それぞれの前框１５の端部に、前框１５の長さ方向に対して４５度の角度で設けられた傾斜辺１６を接合されることで構成されており、図７のように、この傾斜辺１６の内側部に設けたアリホゾ２１を、束柱３の上端のアリミゾ９に係合することで、図８のように、左右の前框１５を工具を用いずに簡単に取付けることができる。
【００３５】
一方、図９に示したように、Ｌ字形に交差する壁面１４ａ，１４ｂと接する側のＬ字形辺縁部には、上笠木５の上面に壁見切り材１７が設けられるが、この壁見切り材１７は、図１１および図１２に示したように、上笠木５の上面外縁部分に接着剤等により接着され、この壁見切り材１７の内周面１７ａと上笠木５の上面との窪みに上敷き１８の周縁１８ａが嵌め込まれる。
【００３６】
図１３は、箱形ユニット１の内部に引出し２２を設けた場合の構成を示している。この事例では、箱形ユニット１を組み立てる際に、前面の仕切り板４は取り付けずに、両側の仕切り板４の下辺部にガイドローラ２３を設けておき、引出し２２がガイドローラ２３に沿って自由に出し入れできるように構成されている。
【００３７】
なお、上記実施例では、箱形ユニット１を構成する上笠木２、束柱３，上笠木５などの各部材を接続する手段として、アリホゾ・アリミゾを用いたが、接続手段としてはアリホゾ・アリミゾに限定されることはなく、各種の接続具を用いることができる。
【００３８】
図１４は、各部材を接続するための手段として、金属製嵌合い継手２４を使用した例であり、この嵌合い継手２４は、両端にボルト２６などで固定できる翼形の固定部２５を有し、該固定部２５の半分ほどの幅をもつ中間部２７を板厚分ほどへ少し突出させて、この中間部２７の下辺に雄形突起２８を突設し、中間部２７の背面を雌形凹部２９としたものであり、向きを上下逆にすることで雄形突起２８、あるいは雌形凹部２９として利用できるような形状となっている。
【００３９】
図１４で示したように、下笠木２の端面には、嵌合い継手２４を、中間部２７が上方に位置して雄形突起２８が下向きに突出するように固定し、一方、束柱３の両端には、嵌合い継手２４を、中間部２７が下方に位置して雄形突起２８が上向きに突出するように固定し、下笠木２の端部に設けた嵌合い継手２４の雄形突起２８が、束柱３の側面に設けた嵌合い継手２４の雌形凹部２９内に係合するように取付ける。
【産業上の利用可能性】
【００４０】
この発明の箱床コーナーユニットでは、組み合わされる複数個の箱形ユニット１が、四つの辺を形成するための全ての部品は必要とせず、互いに隣接して形成される他の箱形ユニット１の構成に必要な部品の一部を利用して構成されるので、部品点数を少なくしてコストを大幅に低減できるとともに、箱形ユニットを構成する下笠木２、束柱３、仕切り板４、上笠木５などの構成部材が、素人でも工具を用いずに簡単に組立てられて工事費が不要であるなど、きわめて利用可能性の高い製品とすることができる。
【図面の簡単な説明】
【００４１】
【図１】基本箱形ユニットの構成部材を示す分解斜視図。
【図２】基本箱形ユニットの組み立て工程を示す斜視図。
【図３】組み立てられた基本箱形ユニットの形状を示す斜視図。
【図４】基本箱形ユニットの周囲に付随箱形ユニットを組み立てている工程の斜視図。
【図５】基本箱形ユニットの周囲に付随箱形ユニットが接続された状態の平面図。
【図６】箱形ユニットの上面に設けられる中蓋と上敷きの斜視図。
【図７】箱形ユニットの上笠木に前框を取付けるための斜視図。
【図８】直角に交わる前框の端部の形状を示す斜視図。
【図９】基本箱形ユニットと付随箱形ユニットの周囲に前框、壁見切り材を設けて、箱形ユニットの上に上敷きを設けた平面図。
【図１０】図９のＨ−Ｈ線の断面図。
【図１１】壁面と接する面に設けられる壁見切り材の構成を示す斜視図。
【図１２】図９のＩ−Ｉ線の断面図。
【図１３】箱形ユニット内に引出しのを設けた場合の部分斜視図。
【図１４】部材の接続手段として別の形状を用いた場合の斜視図。
【図１５】図１４のＪ−Ｊ線における断面図。
【符号の説明】
【００４２】
１：箱形ユニット
１Ａ：基本箱形ユニット
１Ｂ，１Ｃ，１Ｄ・・・：付随箱形ユニット、
２：下笠木、
３：束柱、
４：仕切り板、
５：上笠木、
６：中蓋、
７：アリホゾ（下笠木）、
８：凹溝（下笠木）、
９：アリミゾ（束柱）、
１０：凹溝（束柱）、
１１：アリホゾ（上笠木）、
１２：凹溝（上笠木）、
１３：支持桟、
１４ａ，１４ｂ：壁面、
１５：前框、
１６：傾斜辺、
１７：壁見切り材、
１８：上敷き、
１９：アリミゾ（上笠木）、
２０：アリホゾ（前框）、
２１：アリホゾ（前框）、
２２：引出し、
２３：ガイドローラ、
２４：嵌合い継手、
２５：固定部、
２６：ボルト、
２７：中間部、
２８：雄形突起、
２９：雌形凹部
【図１】
2007046402.tif 000003
【図２】
2007046402.tif 000004
【図３】
2007046402.tif 000005
【図４】
2007046402.tif 000006
【図５】
2007046402.tif 000007
【図６】
2007046402.tif 000008
【図７】
2007046402.tif 000009
【図８】
2007046402.tif 000010
【図９】
2007046402.tif 000011
【図１０】
2007046402.tif 000012
【図１１】
2007046402.tif 000013
【図１２】
2007046402.tif 000014
【図１３】
2007046402.tif 000015
【図１４】
2007046402.tif 000016
【図１５】
2007046402.tif 000017